(57)【要約】【課題】介助自己医療養生中の人の身体状態管理のための器具。【解決手段】ａ）管理ソフトウエア及び少なくとも臨床規則と前記人物の身体状態に関する情報の記録用データベース、を備えるコンピュータ（１）、ｂ）コンピュータ（１）に接続される人物の身体状態計測用手段（２）、ｃ）少なくとも、薬品、食品インテグレータ又はその他の製品のコード読取用にコンピュータに接続されるリーダ（３）、ｄ）薬品、インテグレータ又はその他の製品の貯蔵に適するアクセス制限付き容器（４）、ｅ）容器（４）のうちから撰ばれる一つ以上の容器に対するアクセスを可能にするためコンピュータ（１）が制御するイネーブラ（５）を含み、コンピュータ（１）は、リーダ（３）を代理する薬品又はその他のコードの読取に応じて、又は測定手段（２）から来る人物の身体状態に関する情報と臨床規則との組合せに応じて、イネーブラ（５）を制御することが出来る
2004535260.tif 000002
【特許請求の範囲】
【請求項１】
介助自己医療養生中の人の身体状態管理のための器具であって、
ａ）管理ソフトウエアと、臨床規則と前記人物の身体状態に関する情報との少なくとも1つの記録用データベースと、を備えるコンピュータ（１）と、
ｂ）前記コンピュータ（１）に接続される、人物の身体状態を測定するための手段（２）と、
ｃ）少なくとも１つのリーダ（３）であって、薬品、食品インテグレータ又はその他の製品のコード読取用に前記コンピュータ（１）に接続されるリーダ（３）と、
ｄ）前記薬品、インテグレータ又はその他の製品の保管に適するアクセスが制御される容器（４）と、
ｅ）前記容器（４）の中で選択される１つ以上の容器（４）に対するアクセスを可能にするため前記コンピュータ（１）が制御するイネーブラ（５）と
を含み、
前記コンピュータ（１）が、前記リーダ部品（３）による薬品等のコードの読取に応じて、又は前記測定手段（２）が発生する人物の身体状態に関する情報と前記臨床規則との組合せに応じて、前記イネーブラ（５）を制御することが出来る、
ことを特徴とする器具。
【請求項２】
容器（４）が、前記コンピュータ（１）に接続されるセンサ（７）を備えており、前記センサ（７）が、前記薬品、インテグレータ等の取入れ又は取出のため、前記容器（４）の開放を報知するのに適している、ことを特徴とする請求項１に記載の器具。
【請求項３】
前記コンピュータ（１）に接続され、有効でない容器（４）の開放を前記センサ（７）が報知する場合に警報信号を発するのに適する警報装置（６）を含む、ことを特徴とする請求項２に記載の器具。
【請求項４】
前記コンピュータ（１）が、外部コンピュータとの接続に適する手段を含む、ことを特徴とする請求項１に記載の器具。
【請求項５】
前記測定手段（２）が、介助自己医療養生中の人の身体状態に関する情報を、記録採取の期間とともに送付する、ことを特徴とする請求項１に記載の器具。
【発明の詳細な説明】
【技術分野】
【０００１】
本発明は、介助自己医療養生中の人の身体状態管理のための器具に関する。
【０００２】
自宅で投薬治療中の患者、介助自己医療養生中の人のみならず、どんな病状にもないが、自己の身体状態を完全な状態に保ちたい人すべてを対象とする。節食、禁煙、体操などである。
【背景技術】
【０００３】
一般的に、介助自己医療養生中の人には、薬剤に限らず数種の製品を所定時期に定期的に投与される必要がある。これはその人の身体状態に応じて行われ、その身体状態は、好転又は悪化を検証するため、その値にしたがって使用中の製品を増量あるいは減量することで進めることが出来るのか、別の製品を処方すべきか、により連続的に評価しなければならない。
【０００４】
したがって、前記の人物は、処方製品の投与に関する時間と状態の遵守に対し絶えず注意する他、切れたり切れ掛かっていたりする製品を購入することを忘れてはならず、必然的に自分の身体状態の評価に関する各種検査を受けなければならない。これらすべては、介助自己医療養生中の人に取って幾分か面倒な課題と思われる。
【発明の開示】
【発明が解決しようとする課題】
【０００５】
本発明の範囲は、前記課題の実行を円滑にすることの出来る介助自己医療養生中の人の身体状態管理のための器具を提供することである。
【課題を解決するための手段】
【０００６】
本発明にしたがうと、
ａ）管理ソフトウエア及び臨床サイトにて少なくとも前記人物の身体状態に関する情報との記録用データベースを備えるコンピュータ、
ｂ）前記コンピュータに接続される、人物の身体状態計測用手段、
ｃ）少なくとも、薬品、食品インテグレータ又はその他の製品のコードの読取用に前記コンピュータに接続されるリーダ、
ｄ）前記薬品、インテグレータ又はその他の製品の保管に適するアクセスが制御される容器、
ｅ）前記容器の中で選択される１つ以上の容器に対するアクセスを可能にするため前記コンピュータが制御するイネーブラ、
を含み、
前記コンピュータが、前記リーダを代理する薬品等のコードの読取に応じて、又は前記測定装置が発生する人物の身体状態に関する情報と前記臨床規則との組合せに応じて、前記イネーブラを制御することができる、ことを特徴とする介助自己医療養生中の人の身体状態管理のための器具を用いて当該範囲を達成することができる。
【発明を実施するための最良の形態】
【０００７】
本発明の特徴と利点は、非限定例として同封図面に示すその実施例に関する以下の詳細記述から、明らかになるであろう。
【実施例１】
【０００８】
図１は、本発明にしたがう介助自己医療養生中の人の身体状態管理のための器具の概略図である。
【０００９】
図１に概略を示すように、本発明にしたがう器具は、管理ソフトウエアを備え、介助自己医療養生中の人の身体状態に関する情報及び、医師又は別の健康技術者若しくは同じく委任関係人又は療法士（トレーナなど）の命じる臨床規則が含まれるデータベースを備える、コンピュータ１を含む。
【００１０】
当該臨床規則には、医学上、薬理上、栄養上の処方その他が含まれる。
【００１１】
人物の身体状態測定評価のための装置２が、有線又は無線の送信装置を経由してコンピュータ１に接続される。この装置２は、血圧と肺活量の測定器、心電計、血液検査装置、体重計又は身体状態に関するその他のあらゆる測定器を含むことが出来る。測定装置２は、コンピュータ１に介助自己医療養生中の人の身体状態に関する情報を、記録が行われていた間とともに送付する。その情報を同じコンピュータ１が処理して前述のデータベースに入力する。
【００１２】
加えてアクセスが制御される容器４に保管すべき薬品又は食品インテグレータ若しくはその他のものの読取用リーダ３もまた、有線又は無線の送信装置を経由してコンピュータ１に接続される。
【００１３】
一定の薬品又はインテグレータその他の挿入又は取出のため選択される１つ以上の容器のアクセスを可能にするイネーブラ５もまたコンピュータ１に接続される。容器開放用装置を働かせることで有効にする事が出来るが、容器にＬＥＤ（発光ダイオード）あるいは音響装置を備えている場合には、代わりに、イネーブラ５は光又は音響の信号を用いて挿入又は取出しのための正確な容器を報知することが出来る。
【００１４】
単一容器４に対するアクセスを報知するのに適する適切なセンサ７を容器毎に備える。前記センサは、薬品、インテグレータその他の取出し又は挿入のためのアクセスの発生を記録するため、コンピュータ１に接続する。
【００１５】
コンピュータ１に接続される音響又は光学装置６も備え、誤った容器４に対するアクセスをセンサ７が報知する場合に警報を発する。
【００１６】
この装置を用いて実行することの出来る作業は、したがって薬品又はインテグレータその他の挿入及び取出のための作業である。
【００１７】
薬品その他の挿入作業は、前述の読取に関するデータが送られるコンピュータ１に接続されるリーダ３を用いる事により、薬品その他のコード読取に対して行われる。それによりコンピュータ１はイネーブラ５を経由して一つ以上の選択容器４の開放を制御するか又は、ユーザに代わって開放して薬品その他を挿入するため、光又は音響信号を通じて幾つかの容器４を選択する。有効になっていない容器４を開くと、警報装置６が直ちにそれを報知する。
【００１８】
薬品その他の取出作業は、測定装置２を通じる人物の身体状態検出に対して所定の周期で発生する。測定装置２から来る情報はコンピュータ１に送付される。コンピュータ１は、身体状態及び検出される臨床規則にしたがって、選択される一つ以上の容器４を開放するためイネーブラ５を制御するか又は、ユーザが開放して薬品その他を取出すため、光又は音響信号を通じて幾つかの容器４を選択する。コンピュータ１は、適切なセンサ７を用いてこの開放を記憶する。
【００１９】
コンピュータ１は、医師又はその他の健康技術者など、外部に情報を提供する手段を含むのが好ましく、これはインターネット又は電話を通じる別のコンピュータとの接続により生じるのが好ましい。
【００２０】
そのコードをリーダ３が読取る薬品又はその他を、介助自己医療養生中の人が容器４に挿入することなく取出すこともまた可能である。この場合、薬品又はその他の投与はコンピュータ１が記憶する。
【図面の簡単な説明】
【００２１】
【図１】本発明にしたがう介助自己医療養生中の人の身体状態管理のための器具の概略図。
【国際公開パンフレット】
2004535260.tif 000003
2004535260.tif 000004
2004535260.tif 000005
2004535260.tif 000006
2004535260.tif 000007
2004535260.tif 000008
2004535260.tif 000009
2004535260.tif 000010
2004535260.tif 000011
【国際公開パンフレット（コレクトバージョン）】
2004535260.tif 000012
2004535260.tif 000013
【国際調査報告】
2004535260.tif 000014
2004535260.tif 000015
2004535260.tif 000016